(57)【特許請求の範囲】
【請求項１】
地下に設置された送受信機に対して電波を送受信するためのアンテナ部材を有する地表面用アンテナ装置において、
前記アンテナ部材は、地下構造物と連通する竪孔の蓋用受枠の地上露出面に設けられていることを特徴とする地表面用アンテナ装置。
【請求項２】
前記アンテナ部材は、前記受枠の前記地上露出面に形成された凹陥部内に格納され、前記アンテナ部材は、前記凹陥部から前記受枠の内側に形成された通路を通り、前記送受信機に接続されていることを特徴とする、請求項１記載の地表面用アンテナ装置。
【請求項３】
前記アンテナ部材は、前記受枠の前記地上露出面に形成された凹陥部内に格納され、前記アンテナ部材は、前記凹陥部から前記受枠の外側を通り、前記送受信機に接続されていることを特徴とする、請求項１記載の地表面用アンテナ装置。
【請求項４】
前記アンテナ部材が格納された前記凹陥部内には、絶縁性合成樹脂が充填されていることを特徴とする、請求項１から３の内の何れか１つに記載の地表面用アンテナ装置。
【請求項５】
前記地下構造物は、下水道管、電線共同溝または情報ボックスであることを特徴とする、請求項１から４の内の何れか１つに記載の地表面用アンテナ装置。
【請求項６】
前記竪孔は、マンホールであることを特徴とする、請求項１から５の内の何れか１つに記載の地表面用アンテナ装置。
【発明の詳細な説明】
【０００１】
【発明の属する技術分野】
この発明は、地表面用アンテナ装置、特に、例えば、下水道管、電線共同溝、情報ボックス等の地下埋設物のマンホールを無線通信基地として利用するための地表面用アンテナ装置であって、蓋の開閉に支障を来たさず、しかも、マンホール内に浸入した雨水や泥等による腐食や接触不良の恐れがない地表面用アンテナ装置に関するものである。
【０００２】
【従来の技術】
都市においては、下水道管に光ファイバーを敷設する事業が進行しているが、人口密度の低い地域では、事業の採算性が悪いので、光ファイバー網が、例えば、家庭等の全ての端末に整備される状況ではない。一方、有線の電話網や、携帯電話網だけでは通信速度が遅く、大容量の通信を可能にする能力はない。
【０００３】
このような地域においては、幹線網は光ファイバーで製作し、端末は、無線を併用することが、大能力の通信容量を確保しながら費用を削減できる有力な方法である。しかしながら、情報を無線で送受信させるためには、送受信機が必要であり、さらにアンテナは地上になければならないため、既存の技術を用いる場合には、地下管路から地上へ有線で配線し、送受信機とアンテナとを別々に設置することを余儀なくされていた。
【０００４】
マンホール内または地下構造物に送受信機を設け、電波を直接、送受信できれば、設備費用および工事費用が削減でき、最も合理的であるが、地中からは電波を送受信することができないため、実際には地上に送受信機が設置されていた。
【０００５】
マンホール内に発信機を設けた従来技術１として、特許第２８４５７５９号公報には、下記技術が開示されている。
【０００６】
地下埋設物の測定信号を発信機を介して接続したアンテナ部材を有し、前記アンテナ部材より地表空間に測定信号電波を放射するようにした地下埋設物の測定用アンテナであって、鉄材よりなる蓋本体の一部に電気絶縁性の合成樹脂材を組み合わせ、前記合成樹脂材によってアンテナ部材を端部のみが表出するように保持した地下埋設物の測定用アンテナ。
【０００７】
また、従来技術２として、特開２００１−９００９６には、下記技術が開示されている。
【０００８】
マンホール側に配置された内部通信機とマンホールの外側に配置された外部通信機との無線による通信を可能にする蓋装置であって、マンホールの周縁段差部に配置された伸縮式または倒立式の内側アンテナと、蓋側に埋め込まれて外部通信機との間で電波の授受を行うための外側アンテナと、上記内側アンテナに対応する位置で且つ内側アンテナに接触し得るように蓋側に取り付けられると共に外側アンテナに接続された接触端子とからなるマンホール蓋装置。
【０００９】
【発明が解決しようとする課題】
上記従来技術１および２によれば、管路内から有線で送受信機までの工事の必要がなく、低コストで情報通信網を形成でき、また、送受信機は、地下に設置することができるので、盗難やいたずらの被害を受けず、さらに、通行に際しては、全く支障を来たさないといった利点を有する。
【００１０】
しかしながら、従来技術１は、管路の維持管理のために頻繁に開閉されるマンホールの蓋にアンテナが取り付けられているので、蓋の開閉に支障を来たす。また、上記従来技術２は、発信機からの信号を蓋に設けたアンテナまで接触端子を介して伝送するので、接触端子がマンホール内に浸入した雨水や泥等によって腐食したり接触不良を起こす恐れがある。
【００１１】
従って、この発明の目的は、従来技術１および２の利点、すなわち、管路内から有線で送受信機までの工事の必要がなく、低コストで情報通信網を形成でき、また、送受信機は、地下に設置することができるので、盗難やいたずらの被害を受けず、さらに、通行に際しては、全く支障を来たさないといった利点を有し、さらに、蓋の開閉に支障を来たさず、しかも、マンホール内に浸入した雨水や泥等による腐食や接触不良の恐れがない地表面用アンテナ装置を提供することにある。
【００１２】
【課題を解決するための手段】
請求項１記載の発明は、地下に設置された送受信機に対して電波を送受信するためのアンテナ部材を有する地表面用アンテナ装置において、前記アンテナ部材は、地下構造物と連通する竪孔の蓋用受枠の地上露出面に設けられていることに特徴を有するものである。
【００１３】
請求項２記載の発明は、前記アンテナ部材は、前記受枠の前記地上露出面に形成された凹陥部内に格納され、前記アンテナ部材は、前記凹陥部から前記受枠の内側に形成された通路を通り、前記送受信機に接続されていることに特徴を有するものである。
【００１４】
請求項３記載の発明は、前記アンテナ部材は、前記受枠の前記地上露出面に形成された凹陥部内に格納され、前記アンテナ部材は、前記凹陥部から前記受枠の外側を通り、前記送受信機に接続されていることに特徴を有するものである。
【００１５】
請求項４記載の発明は、前記アンテナ部材が格納された前記凹陥部内には、絶縁性合成樹脂が充填されていることに特徴を有するものである。
【００１６】
請求項５記載の発明は、前記地下構造物は、下水道管、電線共同溝または情報ボックスであることに特徴を有するものである。
【００１７】
請求項６記載の発明は、前記竪孔は、マンホールであることに特徴を有するものである。
【００１８】
【発明の実施の形態】
この発明の地表面用アンテナ装置の一実施態様を、図面を参照しながら説明する。
【００１９】
図１は、この発明の地表面用アンテナ装置の設置態様を示す断面図、図２は、この発明の地表面用アンテナ装置の設置態様を示す斜視図である。
【００２０】
図１および図２において、１は、道路２の下方に配管されている下水道管、電線共同溝、情報ボックス等の管路、３は、管路１と連通するマンホールであるが、マンホール以外の他の竪孔であっても良い。４は、マンホール３の鉄蓋、５は、鉄蓋４の受枠、６は、管路１内に配線された光ケーブル、７は、マンホール３内に固定部材１３によって固定された送受信機であり、光ケーブル６の一端が接続されている。送受信機は、受信機または送信機単体であっても良い。８は、受枠１の地上露出面（Ｓ）の一部に形成された凹陥部である。なお、凹陥部８は、受枠１の地上露出面（Ｓ）全周に設けても良い。９は、凹陥部８内に格納されたアンテナ部材である。アンテナ部材９は、板状、線状に形成されている。アンテナ部材９が格納された凹陥部８内には、絶縁性合成樹脂が充填されている。
【００２１】
１０は、アンテナ部材９と送受信機７とを接続する信号線である。信号線１０は、凹陥部８の下部に形成された孔５Ａから受枠５の外側を通り、受枠５の胴部に形成された孔５Ｂからマンホール３内に入り送受信機７に接続されている。１１は、送受信機７に対応する地上送受信機であり、電柱１２等の高所に設置されている。
【００２２】
このようにアンテナ部材９が鉄蓋４の受枠５の地上露出面（Ｓ）に設けられているので、管路内から有線で送受信機までの工事の必要がなく、低コストで情報通信網を形成でき、また、送受信機は、地下に設置することができるので、盗難やいたずらの被害を受けず、さらに、通行に際しては、全く支障を来たさないといった利点を有することは勿論、従来技術１のように鉄蓋４にアンテナ部材９が設置されていないので、鉄蓋４の開閉に支障を来たさず、しかも、従来技術２のようにアンテナ部材９と送受信機７とが接触端子を介して接続されていないので、マンホール内に浸入した雨水や泥等による接触端子の腐食や接触不良の問題は皆無である。
【００２３】
信号線は、図３に示すように、凹陥部８から受枠５の内側に形成された通路５Ｃを通り、送受信機７に接続しても良い。
【００２４】
【発明の効果】
以上説明したように、この発明によれば、アンテナ部材を地下構造物と連通する竪孔の蓋用受枠の地上露出面に設けることによって、管路内から有線で送受信機までの工事の必要がなく、低コストで情報通信網を形成でき、また、送受信機は、地下に設置することができるので、盗難やいたずらの被害を受けず、さらに、通行に際しては、全く支障を来たさないといった利点を有し、さらに、蓋の開閉に支障を来たさず、しかも、マンホール内に浸入した雨水や泥等による腐食や接触不良の恐れがないといった有用な効果がもたらされる。
【図面の簡単な説明】
【図１】請求項３に係る発明の地表面用アンテナ装置の設置態様を示す断面図である。
【図２】請求項３に係る発明の地表面用アンテナ装置の設置態様を示す斜視図である。
【図３】請求項２に係る発明の地表面用アンテナ装置の設置態様を示す部分斜視図である。
【符号の説明】
１：管路
２：道路
３：マンホール
４：鉄蓋
５：受枠
５Ａ：孔
５Ｂ：孔
５Ｃ：通路
６：光ケーブル
７：送受信機
８：凹陥部
９：アンテナ部材
１０：信号線
１１：地上送受信機
１２：電柱
１３：固定部材
【図１】
0004518710.tif 000002
【図２】
0004518710.tif 000003
【図３】
0004518710.tif 000004